(57)【要約】  本開示は、モバイル端末の第1の表示画面に設けられた重力センサが第1の状態にある時、前記モバイル端末における前記第1の表示画面に対応する第1のオペレーティングシステムを起動して前記第1の表示画面を点灯させるステップと、前記重力センサが第2の状態にある時、前記モバイル端末における第2の表示画面に対応する第2のオペレーティングシステムを起動して前記第2の表示画面を点灯させるステップと、を含むモバイル端末オペレーティングシステムの起動方法および装置を提供する。
2020529151.tif 000002
【特許請求の範囲】
【請求項１】
モバイル端末の第1の表示画面に設けられた重力センサが第1の状態にある時、前記モバイル端末における前記第1の表示画面に対応する第1のオペレーティングシステムを起動して前記第1の表示画面を点灯させるステップであって、重力方向とz軸方向のなす角度が90度以上180度以下である時に前記重力センサは前記第1の状態にあるとし、前記第1の表示画面における画面後方から画面前方へ向かう方向を前記z軸方向とするステップと、
前記重力センサが第2の状態にある時、前記モバイル端末における第2の表示画面に対応する第2のオペレーティングシステムを起動して前記第2の表示画面を点灯させるステップであって、重力方向と前記z軸方向のなす角度が0度以上90度未満である時に前記重力センサは前記第2の状態にあるとするステップと、を含む
モバイル端末オペレーティングシステムの起動方法。
【請求項２】
前記第1の表示画面と前記第2の表示画面が折畳み状態から展開状態に移行した時に、前記モバイル端末を現在の第1の表示画面又は第2の表示画面の表示から二画面表示に切替えるステップであって、前記二画面表示に対応するオペレーティングシステムは、切替え前に表示していた表示画面に対応するオペレーティングシステムであるステップをさらに含む
請求項１に記載の方法。
【請求項３】
前記第1の表示画面には、前記第1の表示画面と前記第2の表示画面の間の距離を検出するための距離センサが設けられ、前記第1の表示画面と前記第2の表示画面の間の距離が小さくなったことを検出した場合、前記第1の表示画面と前記第2の表示画面が前記折畳み状態であると確定し、前記第1の表示画面と前記第2の表示画面の間の距離が大きくなったことを検出した場合、前記第1の表示画面と前記第2の表示画面が前記展開状態であると確定する
請求項２に記載の方法。
【請求項４】
前記第1の表示画面と前記第2の表示画面が前記展開状態である場合、
前記第1の表示画面を点灯させるステップは、前記第1の表示画面の点灯と同時に前記第2の表示画面を点灯させて、前記第1のオペレーティングシステムに対応する二画面表示モードに移行するステップをさらに含み、
前記第2の表示画面を点灯させるステップは、前記第2の表示画面の点灯と同時に前記第1の表示画面を点灯させて、前記第2のオペレーティングシステムに対応する二画面表示モードに移行するステップをさらに含む
請求項３に記載の方法。
【請求項５】
前記重力センサが前記第1の状態にある時、操作によって生成されるデータを第1の記憶領域に記憶するステップと、
前記重力センサが前記第2の状態にある時、操作によって生成されるデータを第2の記憶領域に記憶するステップと、をさらに含み、
前記第1のオペレーティングシステムは前記第1の記憶領域に対応し、前記第2のオペレーティングシステムは前記第2の記憶領域に対応する
請求項１に記載の方法。
【請求項６】
前記モバイル端末の側面に指紋識別モジュールを設け、前記重力センサが前記第1の状態にある時、前記指紋識別モジュールによって採取した指紋データを前記第1の記憶領域の指紋データ記憶領域に記憶し、前記重力センサが前記第2の状態にある時、前記指紋識別モジュールによって採取した指紋データを前記第2の記憶領域の指紋データ記憶領域に記憶し、
前記第1のオペレーティングシステムを起動して前記第1の表示画面を点灯させるステップは、前記指紋識別モジュールによって識別した指紋データと前記第1の記憶領域に記憶された指紋データの照合を行い、照合が成功した場合に、前記第1のオペレーティングシステムを起動して前記第1の表示画面を点灯させるステップを含み、
前記第2のオペレーティングシステムを起動して前記第2の表示画面を点灯させるステップは、前記指紋識別モジュールによって識別した指紋データと前記第2の記憶領域に記憶された指紋データの照合を行い、照合が成功した場合に、前記第2のオペレーティングシステムを起動して前記第2の表示画面を点灯させるステップを含む
請求項５に記載の方法。
【請求項７】
前記モバイル端末が待機状態からウェイクアップした時、前記重力センサが前記第1の状態であるか前記第2の状態であるかを判断するステップをさらに含む
請求項１〜６のいずれか１項に記載の方法。
【請求項８】
前記第1の表示画面と前記第2の表示画面を回転軸で接続する
請求項１〜７のいずれか１項に記載の方法。
【請求項９】
モバイル端末の第1の表示画面に設けられた重力センサが第1の状態にある時、前記モバイル端末における前記第1の表示画面に対応する第1のオペレーティングシステムを起動して前記第1の表示画面を点灯させる第1の起動モジュールであって、重力方向とz軸方向のなす角度が90度以上180度以下である時に前記重力センサは前記第1の状態にあるとし、前記第1の表示画面における画面後方から画面前方へ向かう方向を前記z軸方向とするように構成される第1の起動モジュールと、
前記重力センサが第2の状態にある時、前記モバイル端末における第2の表示画面に対応する第2のオペレーティングシステムを起動して前記第2の表示画面を点灯させる第2の起動モジュールであって、重力方向と前記z軸方向のなす角度が0度以上90度未満である時に前記重力センサは前記第2の状態にあるとするように構成される第2の起動モジュールと、を備える
モバイル端末オペレーティングシステムの起動装置。
【請求項１０】
前記第1の表示画面と前記第2の表示画面が折畳み状態から展開状態に移行した時に、前記モバイル端末を現在の第1の表示画面又は第2の表示画面の表示から二画面表示に切替える切替えモジュールであって、前記二画面表示に対応するオペレーティングシステムは、切替え前に表示していた表示画面に対応するオペレーティングシステムであるように構成される切替モジュールをさらに含む
請求項９に記載の装置。
【請求項１１】
前記第1の表示画面に設けられた距離センサの検出結果により、前記第1の表示画面と前記第2の表示画面が前記折畳み状態であるか前記展開状態であるかを確定する確定モジュールであって、前記第1の表示画面と前記第2の表示画面の間の距離が小さくなったことを前記距離センサが検出した場合、前記第1の表示画面と前記第2の表示画面が前記折畳み状態であると確定し、前記第1の表示画面と前記第2の表示画面の間の距離が大きくなったことを前記距離センサが検出した場合、前記第1の表示画面と前記第2の表示画面が前記展開状態であると確定する確定モジュールをさらに含む
請求項１０に記載の装置。
【請求項１２】
前記第1の起動モジュールは、前記第1の表示画面が前記展開状態にある場合において、前記重力センサが前記第1の状態にある時、前記第1のオペレーティングシステムを起動し、前記第1の表示画面及び前記第2の表示画面を同時に点灯させて、前記第1のオペレーティングシステムに対応する二画面表示モードに移行するように構成され、
前記第2の起動モジュールは、前記第1の表示画面が前記展開状態にある場合において、前記重力センサが前記第2の状態にある時、前記第2のオペレーティングシステムを起動し、前記第1の表示画面及び前記第2の表示画面を同時に点灯させて、前記第2のオペレーティングシステムに対応する二画面表示モードに移行するように構成される
請求項１１に記載の装置。
【請求項１３】
前記重力センサが前記第1の状態にある時、操作によって生成されたデータを第1の記憶領域に記憶するように構成される第1の記憶モジュールと、
前記重力センサが前記第2の状態にある時、操作によって生成されたデータを第2の記憶領域に記憶するように構成される第2の記憶モジュールと、をさらに含み、
前記第1のオペレーティングシステムは前記第1の記憶領域に対応し、前記第2のオペレーティングシステムは前記第2の記憶領域に対応する
請求項９に記載の装置。
【請求項１４】
前記重力センサが前記第1の状態にある時、前記指紋識別モジュールによって採取した指紋データを前記第1の記憶領域の指紋データ記憶領域に記憶し、前記重力センサが前記第2の状態にある時、前記指紋識別モジュールによって採取した指紋データを前記第2の記憶領域の指紋データ記憶領域に記憶する、前記モバイル端末の側面に設けられた指紋識別モジュールをさらに含み、
前記第1の起動モジュールは、前記重力センサが前記第1の状態にある時、前記指紋識別モジュールによって識別した指紋データと前記第1の記憶領域に記憶された指紋データの照合を行い、照合が成功した場合に、前記第1の表示画面に対応する前記第1のオペレーティングシステムを起動して前記第1の表示画面を点灯させるように構成され、
前記第2の起動モジュールは、前記重力センサが前記第2の状態にある時、前記指紋識別モジュールによって識別した指紋データと前記第2の記憶領域に記憶された指紋データの照合を行い、照合が成功した場合に、前記第2の表示画面に対応する前記第2のオペレーティングシステムを起動して前記第2の表示画面を点灯させるように構成される
請求項１３に記載の装置。
【請求項１５】
前記重力センサが前記第1の状態であるか前記第2の状態であるかを判断するように構成された判断モジュールをさらに含む
請求項９〜１４のいずれか１項に記載の装置。
【請求項１６】
前記判断モジュールは、前記モバイル端末が待機状態からウェイクアップした時、前記重力センサが前記第1の状態であるか前記第2の状態であるかを判断するように構成される
請求項１５に記載の装置。
【請求項１７】
記憶されたプログラムを含む記憶媒体であって、前記プログラムが実行される時、請求項１〜８のいずれか１項に記載の方法を実行する
記憶媒体。
【請求項１８】
プログラムを実行するためのプロセッサであって、前記プログラムが実行される時、請求項１〜８のいずれか１項に記載の方法を実行する
プロセッサ。
【発明の詳細な説明】
【技術分野】
【０００１】
本発明は通信分野、特にモバイル端末のオペレーティングシステムの起動方法及び装置に関するものである。
【背景技術】
【０００２】
同一サイズの二つの画面を有し、二画面を合わせるように折り畳むか背中合わせに折り畳むことができる二画面折畳み式携帯電話機が従来から知られている。二つの画面は展開時には並んで一つの大画面表示とし、折畳み時には単画面表示とすることができる。
【０００３】
また、以下のような指紋照合機能を有した携帯電話機が知られている。即ち、オペレーティングシステム内の一部のアプリケーションが暗号化されており、一つの指紋を用いてシステムに入った後、別の指紋で照合を行なって初めてそれら暗号化されたアプリケーションを見ることができるものである。この方法では、ユーザがアプリケーションに対し暗号化操作をする必要があり、操作手順が煩雑であるほか、別の指紋を識別する手順も必要である。
【発明の概要】
【課題を解決するための手段】
【０００４】
本開示の一つの実施例によれば、モバイル端末の第1の表示画面に設けられた重力センサが第1の状態にある時、前記モバイル端末における前記第1の表示画面に対応する第1のオペレーティングシステムを起動して前記第1の表示画面を点灯させるステップであって、重力方向とz軸方向のなす角度が90度以上180度以下である時に前記重力センサは前記第1の状態にあるとし、前記第1の表示画面における画面後方から画面前方へ向かう方向を前記z軸方向とするステップと、前記重力センサが第2の状態にある時、前記モバイル端末における第2の表示画面に対応する第2のオペレーティングシステムを起動して前記第2の表示画面を点灯させるステップであって、重力方向と前記z軸方向のなす角度が0度以上90度未満である時に前記重力センサは前記第2の状態にあるとするステップと、を含むモバイル端末オペレーティングシステムの起動方法を提供する。
【０００５】
本開示のもう一つの実施例によれば、モバイル端末の第1の表示画面に設けられた重力センサが第1の状態にある時、前記モバイル端末における前記第1の表示画面に対応する第1のオペレーティングシステムを起動して前記第1の表示画面を点灯させる第1の起動モジュールであって、重力方向とz軸方向のなす角度が90度以上180度以下である時に前記重力センサは前記第1の状態にあるとし、前記第1の表示画面における画面後方から画面前方へ向かう方向を前記z軸方向とするように構成される第1の起動モジュールと、前記重力センサが第2の状態にある時、前記モバイル端末における第2の表示画面に対応する第2のオペレーティングシステムを起動して前記第2の表示画面を点灯させる第2の起動モジュールであって、重力方向と前記z軸方向のなす角度が0度以上90度未満である時に前記重力センサは前記第2の状態にあるとするように構成される第2の起動モジュールと、を備えるモバイル端末オペレーティングシステムの起動装置をさらに提供する。
【０００６】
本開示のさらに別の実施例によれば、記憶されたプログラムを含む記憶媒体であって、前記プログラムが実行される時、上記の方法を実行する記憶媒体をさらに提供する。
【０００７】
本開示のさらに別の実施例によれば、プログラムを実行するためのプロセッサであって、前記プログラムが実行される時、上記の方法を実行するプロセッサをさらに提供する。
【０００８】
ここで説明する図面は本開示をさらによく理解するために提供するものであり、本願の一部を構成する。本開示の例示的な実施例およびその説明は本発明の説明に用いられるものであって、本開示を制限するものではない。
【図面の簡単な説明】
【０００９】
【図１】本開示の実施例による二画面モバイル端末オペレーティングシステムの起動方法に対応するモバイル端末のハードウェア構成を示すブロック図である。
【図２】本開示の実施例による二画面モバイル端末オペレーティングシステムの起動方法のフローチャートである。
【図３】本開示の実施例による二画面モバイル端末の概略図である。
【図４】本開示の実施例による別の二画面モバイル端末の概略図である。
【図５】本開示の実施例による別の二画面モバイル端末の概略図である。
【図６】本開示の実施例による二画面モバイル端末オペレーティングシステムの起動方法のフローチャートである。
【図７】本開示の実施例による二画面モバイル端末オペレーティングシステムの起動装置の構成を示すブロック図である。
【図８】本開示の好ましい実施例による二画面モバイル端末オペレーティングシステムの起動装置の構成を示すブロック図である。
【図９】本開示の実施例によるモバイル端末のブロック図である。
【発明を実施するための形態】
【００１０】
以下、図面を参照しながら実施例を組み合わせて本開示を詳細に説明する。なお、本願における実施例および実施例中の特徴は、矛盾しない限り互いに組み合わせることができる。
【００１１】
本開示の明細書および特許請求の範囲、ならびに上記の図面における「第1の」、「第2の」といった技術用語は、類似の対象を区別するために使用したものであり、特定の順序や前後関係を説明するために使用する必要がないことを理解されたい。
【００１２】
実施例1
本願の実施例1によって提供される方法の実施例は、携帯電話、タブレット、携帯ゲーム機などのモバイル端末で実行できる。図1は、本開示の実施例による二画面モバイル端末オペレーティングシステムの起動方法に対応するモバイル端末のハードウェア構成を示すブロック図である。図1に示すように、モバイル端末10は、1つ又は2つの（図面では1つのみ示した）プロセッサ102（プロセッサ102はマイクロプロセッサMCUやプログラマブルロジックデバイスFPGAなどの処理装置を含んでもよいが、これに限定されない）と、データを記憶するメモリ104と、通信機能のための伝送装置106とを含むことができる。図1に示す構成は例示にすぎず上述した電子装置の構成を限定しないことは、当業者に理解されるところである。例えば、モバイル端末10は図1に示した構成よりも多い部品や少ない部品を含んでもよいし、図1に示したものと異なる配置を有してもよい。
【００１３】
メモリ104は、本開示の実施例における二画面モバイル端末オペレーティングシステムの起動方法に対応するプログラム指令またはモジュールのような、アプリケーションのソフトウェアプログラムおよびモジュールを記憶するために使用してもよい。プロセッサ102は、メモリ104内に記憶されたソフトウェアプログラムおよびモジュールを実行することによって、様々な機能のアプリケーションおよびデータ処理、即ち前記の方法を実行する。メモリ104は、高速ランダムアクセスメモリを含んでもよく、1つ又は2つの磁気記憶デバイス、フラッシュメモリ、他の不揮発性ソリッドステートメモリなどの不揮発性メモリを含んでもよい。いくつかの実施例において、メモリ104はプロセッサ102に対してリモート設置したメモリをさらに含んでもよく、これらのリモートメモリはネットワークを介してモバイル端末10に接続してもよい。上記ネットワークの実例として、インターネット、イントラネット、ローカルエリアネットワーク、モバイル通信ネットワーク、及びこれらの組み合わせが挙げられるが、これらに限定されない。
【００１４】
伝送装置106はネットワークを介してデータを受信または送信するためのものである。上記ネットワークの具体例としては、モバイル端末10の通信プロバイダーが提供する無線ネットワークが挙げられる。一つの実施例において、伝送装置106は基地局を介して他のネットワーク装置に接続することによりインターネットと通信可能になるネットワークアダプタ（Network Interface Controller、NIC）を含む。他の実施例において、伝送装置106は無線方式でインターネットと通信するための無線周波数（Radio Frequency、RF）モジュールであってもよい。
【００１５】
本実施例では、上記モバイル端末で実行される二画面モバイル端末オペレーティングシステムの起動方法を提供する。図2は、本開示の実施例による二画面モバイル端末オペレーティングシステムの起動方法のフローチャートであり、図2に示すように、このプロセスには以下のステップが含まれる。
【００１６】
ステップS202では、モバイル端末の第1の表示画面に設けられた重力センサが第1の状態にある時、前記モバイル端末における前記第1の表示画面に対応する第1のオペレーティングシステムを起動して前記第1の表示画面を点灯させるが、その際、重力方向とz軸方向のなす角度が90度以上180度以下である時に前記重力センサは前記第1の状態にあるとし、前記第1の表示画面における画面後方から画面前方へ向かう方向を前記z軸方向とする。
【００１７】
ステップS204では、前記重力センサが第2の状態にある時、前記モバイル端末における第2の表示画面に対応する第2のオペレーティングシステムを起動して前記第2の表示画面を点灯させるが、その際、重力方向と前記z軸方向のなす角度が0度以上90度未満である時に前記重力センサは前記第2の状態にあるとする。
【００１８】
上記ステップにより、二つのオペレーティングシステムを有する二画面モバイル端末（例えば二画面携帯電話）は、重力センサの状態に応じて相応しいオペレーティングシステムを起動し、異なるオペレーティングシステムに自動的に移行するという効果を得る。生活と仕事、日常とプライバシーといった二つの状態をユーザーに簡便に使い分けさせ、アプリケーションごとに二画面携帯電話の操作体験を向上させることができる。
【００１９】
一つの実施形態において、上記ステップS202及びS204は同時に実施され、ステップS202の前に前記方法は、前記重力センサが前記第1の状態であるか前記第2の状態であるかを判断するステップをさらに含む。
【００２０】
一つの実施形態において、前記方法は、前記第1の表示画面と前記第2の表示画面が折畳み状態から展開状態に移行したことが検出された時に、前記モバイル端末を現在の前記第1の表示画面又は前記第2の表示画面の表示から二画面表示に切替えるステップであって、前記二画面表示に対応するオペレーティングシステムは、切替え前に表示していた表示画面に対応するオペレーティングシステムであるステップをさらに含む。つまり、切替え前に表示していた表示画面（現在の表示画面）が第1の表示画面である場合、二画面表示に対応するオペレーティングシステムは第1の表示画面に対応する第1のオペレーティングシステムであり、切替え前に表示していた表示画面が第2の表示画面である場合、二画面表示に対応するオペレーティングシステムは第2の表示画面に対応する第2のオペレーティングシステムである。
【００２１】
一つの実施形態において、前記第1の表示画面には、前記第1の表示画面と前記第2の表示画面の間の距離を検出するための距離センサが設けられ、前記第1の表示画面と前記第2の表示画面の間の距離が小さくなったことを検出した場合、前記第1の表示画面と前記第2の表示画面が前記折畳み状態であると確定し、前記第1の表示画面と前記第2の表示画面の間の距離が大きくなったことを検出した場合、前記第1の表示画面と前記第2の表示画面が前記展開状態であると確定する。一つの実施形態において、前記距離センサはホール素子であってもよい。別の実施形態において、前記第2の表示画面には当該ホール素子に対応する磁石が設けられている。さらに別の実施形態において、第1の表示画面と第2の表示画面にはそれぞれ距離センサが設けられ、二つのセンサは前記第1の表示画面と前記第2の表示画面の間の距離を検出するように互いに協力する。
【００２２】
一つの実施形態において、前記第1の表示画面と前記第2の表示画面が前記展開状態である場合、ステップS202における前記第1の表示画面を点灯させるステップは、前記第1の表示画面の点灯と同時に前記第2の表示画面を点灯させて、前記第1のオペレーティングシステムに対応する二画面表示モードに移行するステップをさらに含み、ステップS202における前記第2の表示画面を点灯させるステップは、前記第2の表示画面の点灯と同時に前記第1の表示画面を点灯させて、前記第2のオペレーティングシステムに対応する二画面表示モードに移行するステップをさらに含む。
【００２３】
一つの実施形態において、前記重力センサが前記第1の状態にある時、操作によって生成されるデータを第1の記憶領域に記憶し、前記重力センサが前記第2の状態にある時、操作によって生成されるデータを第2の記憶領域に記憶するが、その際、前記第1のオペレーティングシステムは前記第1の記憶領域に対応し、前記第2のオペレーティングシステムは前記第2の記憶領域に対応する。
【００２４】
一つの実施形態において、前記モバイル端末の側面に指紋識別モジュールを設け、前記重力センサが前記第1の状態にある時、前記指紋識別モジュールによって採取した指紋データを前記第1の記憶領域の指紋データ記憶領域に記憶し、前記重力センサが前記第2の状態にある時、前記指紋識別モジュールによって採取した指紋データを前記第2の記憶領域の指紋データ記憶領域に記憶する。この場合、上記ステップS202において前記重力センサが前記第1の状態にある時、前記指紋識別モジュールによって識別した指紋データと前記第1の記憶領域に記憶された指紋データの照合を行い、照合が成功した場合に、前記第1のオペレーティングシステムを起動して前記第1の表示画面を点灯させ、前記重力センサが第2の状態にある時、前記指紋識別モジュールによって識別した指紋データと前記第2の記憶領域に記憶された指紋データの照合を行い、照合が成功した場合に、前記第2のオペレーティングシステムを起動して前記第2の表示画面を点灯させる。
【００２５】
一つの実施形態において、前記モバイル端末が待機状態からウェイクアップした時、前記重力センサが前記第1の状態であるか前記第2の状態であるかを判断する。
【００２６】
一つの実施形態において、前記第1の表示画面と前記第2の表示画面を回転軸で接続する。
【００２７】
図3は、本開示の実施例による二画面モバイル端末の概略図である。図3に示すように、当該二画面モバイル端末は二画面携帯電話であり、当該二画面携帯電話は同じサイズと規格を有した二つの表示画面を備え、表示画面はタッチスクリーンを有する。二画面携帯電話を展開すると、二つの画面は左右に並んだ二つの画面に分割され、それぞれ第1の画面と第2の画面になる。二つの画面は回転軸で連結され、回転軸によって背中合わせの折畳み状態か左右配置の展開状態が実現される。
【００２８】
図4は、本開示の実施例による別の二画面モバイル端末の概略図である。図4に示すように、当該二画面モバイル端末は実際には一つの画面を有する折畳み携帯電話であり、携帯電話を展開すると一つの完全な画面が現われる一方、携帯電話を折り畳むと背中合わせの二つの画面に分かれる。画面の表と裏はそれぞれ同じサイズと規格を有し、二つの表示画面として見ることができる。
【００２９】
重力センサは第1の表示画面に設けられる。本開示において、「第1の表示画面に設けられる」とは、（重力センサまたは距離センサ）が第1の表示画面に直接接続されてはいないが、第1の表示画面と固定的な位置関係および方向関係を保持するという状況を含む。重力センサが検出した自身の状態（第1の状態または第2の状態）は、即ち第1の表示画面の状態を表す。なお、重力センサは重力加速度センサであってもよい。
【００３０】
本開示においては、第1の表示画面における画面後方から画面前方に向かう方向をz軸方向とする。即ち、前記z軸方向とは第1の表示画面が向いている方向であって、第1の表示画面に垂直な方向である。重力方向とz軸方向のなす角度が90度以上180度以下の時を第1の状態とし、重力方向とz軸方向とのなす角度が0度以上90度未満の時を第2の状態とする。
【００３１】
ホール素子（距離センサの実例）と磁石はそれぞれ第1の表示画面と第2の表示画面に設けられ、ホール素子と磁石が接近または離間することにより、携帯電話の二画面が折畳み状態にあるか展開状態にあるかを確定するものである。その時点の折畳み状態または展開状態は状態レジスタによって記録してもよい。折畳み状態ではホール素子と磁石が接近して二つの表示画面が背中合わせに折り畳まれるが、展開状態ではホール素子と磁石が離間する。
【００３２】
二画面携帯電話は二つのオペレーティングシステムを有し、第1の表示画面が第1のオペレーティングシステムに対応し、第2の表示画面が第2のオペレーティングシステムに対応する。本開示において、この二つのオペレーティングシステムはそれぞれ生活と仕事、日常とプライバシーといった二つの状態に対応させてもよい。
【００３３】
一つの実施形態においては、携帯電話が待機状態からウェイクアップした時に、重力センサが前記第1の状態であるか前記第2の状態であるかを判断する。
【００３４】
携帯電話が折畳み状態にある場合は、重力センサが第1の状態にある時、第1のオペレーティングシステムを起動して第1の表示画面を点灯させ、重力センサが第2の状態にある時、第2のオペレーティングシステムを起動して第2の表示画面を点灯させる。
【００３５】
携帯電話が展開状態にある場合は、重力センサが第1の状態にある時、第1のオペレーティングシステムを起動して第1の表示画面および第2の表示画面を点灯させ、前記第1のオペレーティングシステムに対応する二画面表示モードに移行し、重力センサが第2の状態にある時、第2のオペレーティングシステムを起動して第2の表示画面及び第1の表示画面を点灯させ、第2のオペレーティングシステムに対応する二画面表示モードに移行する。
【００３６】
一つの実施形態において、携帯電話が折畳み状態から展開状態に移行した時、携帯電話はその時点の単画面表示から二画面表示に移行するが、当該二画面表示が対応するオペレーティングシステムはその時点（即ち展開される前）のオペレーティングシステムである。
【００３７】
一つの実施形態において、携帯電話はデュアルストレージを有し、第1のオペレーティングシステムが第1の記憶領域に対応し、第2のオペレーティングシステムが第2の記憶領域に対応する。
【００３８】
一つの実施形態において、重力センサが第1の状態にある時、携帯電話の操作によって生成されるデータは第1の記憶領域に記憶され、重力センサが第2の状態にある時、携帯電話の操作によって生成されるデータは第2の記憶領域に記憶される。
【００３９】
別の実施形態において、第1のオペレーティングシステム及び第2のオペレーティングシステムは共通の記憶領域及びそれぞれの専用記憶領域を有してもよい。
【００４０】
図5は、本開示の実施例による別の二画面モバイル端末の概略図である。図5に示すように、指紋モジュール、即ち指紋識別モジュールは携帯電話の側面に位置し、重力センサが第1の状態にある時、指紋識別モジュールで採取した指紋データは第1の記憶領域の指紋データ記憶領域に記憶し、識別した指紋データと第1の記憶領域に記憶された指紋データの照合を行い、照合が成功した場合に、前記第1の表示画面に対応する前記第1のオペレーティングシステムを起動して第1の表示画面を点灯させる。一方で重力センサが第2の状態にある時、指紋識別モジュールで採取した指紋データは前記第2の記憶領域の指紋データ記憶領域に記憶し、識別した指紋データと第2の記憶領域に記憶された指紋データの照合を行い、照合が成功した場合に、前記第2の表示画面に対応する第2のオペレーティングシステムを起動して第2の表示画面を点灯させる。
【００４１】
図6は、本開示の実施例による二画面モバイル端末オペレーティングシステムの起動方法のフローチャートであり、図6に示すように、当該方法は以下のステップを含む。
【００４２】
ステップS602において、重力加速度センサは重力方向と第1の表示画面が向いている方向（即ちz軸方向）がなす角度に基づいて、自身が第1の状態にあるか第2の状態にあるかを判断する。
【００４３】
ステップS604において、ホール素子は二画面（第1の表示画面及び第2の表示画面）が折畳み状態であるか展開状態であるかを判断する。
【００４４】
ステップS606において、携帯電話は重力加速度センサの状態とホール素子の状態に応じて対応するオペレーティングシステムを起動し、対応する表示画面を点灯させる。
【００４５】
上記実施形態の説明から当業者は明確に理解できることだが、上記実施形態による方法は必要となる汎用のハードウェアプラットフォームをソフトウェアに追加することによって実現できる。当然ながらハードウェアによっても実現できるが、多くの場合では前者がより好適な実施形態である。このような理解に基づけば、本開示の技術案の本質または従来技術に寄与する部分は、ソフトウェア製品の形で具現できるものである。当該ソフトウェア製品は記憶媒体（例えばROM/RAM、磁気ディスク、光ディスク）に記憶され、本開示の様々な実施形態で説明した方法を端末装置（携帯電話、コンピュータ、サーバ、ネットワークデバイス等であってもよい）に実行させるいくつかの命令を含んでいる。
【００４６】
実施例2
本実施例では、上記実施例及び好ましい実施形態を実現するための二画面モバイル端末オペレーティングシステムの起動装置をさらに提供するが、既に説明した部分は繰り返し説明しない。以下で用いられる「モジュール」という技術用語は、所定機能のソフトウェアおよび/またはハードウェアの組み合わせを実現できるものを表す。以下の実施例で説明する装置は好ましくはソフトウェアで実装されるが、ハードウェア、或いはソフトウェアとハードウェアの組み合わせによる実装も併せて構想されうるものである。
【００４７】
図7は、本開示の実施例による二画面モバイル端末オペレーティングシステムの起動装置の構成を示すブロック図であり、図7に示すように、当該装置は、
モバイル端末の第1の表示画面に設けられた重力センサが第1の状態にある時、前記モバイル端末における前記第1の表示画面に対応する第1のオペレーティングシステムを起動して前記第1の表示画面を点灯させる第1の起動モジュール72であって、重力方向とz軸方向のなす角度が90度以上180度以下である時に前記重力センサは前記第1の状態にあるとし、前記第1の表示画面における画面後方から画面前方へ向かう方向を前記z軸方向とするように構成される第1の起動モジュール72と、
前記重力センサが第2の状態にある時、前記モバイル端末における第2の表示画面に対応する第2のオペレーティングシステムを起動して前記第2の表示画面を点灯させる第2の起動モジュール74であって、重力方向と前記z軸方向のなす角度が0度以上90度未満である時に前記重力センサは前記第2の状態にあるとするように構成される第2の起動モジュール74と、を備える。
【００４８】
一つの実施形態において、当該装置は、前記第1の表示画面に設けられた距離センサの検出結果により、前記第1の表示画面と前記第2の表示画面が前記折畳み状態であるか前記展開状態であるかを確定する確定モジュールであって、前記第1の表示画面と前記第2の表示画面の間の距離が小さくなったことを前記距離センサが検出した場合、前記第1の表示画面と前記第2の表示画面が前記折畳み状態であると確定し、前記第1の表示画面と前記第2の表示画面の間の距離が大きくなったことを前記距離センサが検出した場合、前記第1の表示画面と前記第2の表示画面が前記展開状態であると確定する確定モジュールをさらに含む。
【００４９】
図8は、本開示の好ましい実施例による二画面モバイル端末オペレーティングシステムの起動装置の構成を示すブロック図である。図8に示すように、当該装置は、図7に示す全てのモジュールを含む以外にも、
前記第1の表示画面と前記第2の表示画面が折畳み状態から展開状態に移行した時に、前記モバイル端末を現在の前記第1の表示画面又は前記第2の表示画面の表示から二画面表示に切替える切替えモジュール82であって、前記二画面表示に対応するオペレーティングシステムは、切替え前に表示していた表示画面に対応するオペレーティングシステムであるように構成される切替モジュール82をさらに含む。
【００５０】
一つの実施形態において、前記第1の起動モジュールは、前記第1の表示画面と第2の表示画面が前記展開状態にある場合において、前記重力センサが前記第1の状態にある時、前記第1のオペレーティングシステムを起動し、前記第1の表示画面及び前記第2の表示画面を点灯させて、前記第1のオペレーティングシステムに対応する二画面表示モードに移行するようにさらに構成され、前記第2の起動モジュールは、前記第1の表示画面と第2の表示画面が前記展開状態にある場合において、前記重力センサが前記第2の状態にある時、前記第2のオペレーティングシステムを起動し、前記第2の表示画面及び前記第1の表示画面を点灯させて、前記第2のオペレーティングシステムに対応する二画面表示モードに移行するようにさらに構成される。
【００５１】
一つの実施形態において、前記装置は、前記重力センサが前記第1の状態にある時、操作によって生成されたデータを第1の記憶領域に記憶するように構成される第1の記憶モジュールと、前記重力センサが前記第2の状態にある時、操作によって生成されたデータを第2の記憶領域に記憶するように構成される第2の記憶モジュールと、をさらに含み、前記第1のオペレーティングシステムは前記第1の記憶領域に対応し、前記第2のオペレーティングシステムは前記第2の記憶領域に対応する。
【００５２】
一つの実施形態において、前記装置は、前記重力センサが前記第1の状態にある時、前記指紋識別モジュールによって採取した指紋データを前記第1の記憶領域の指紋データ記憶領域に記憶し、前記重力センサが前記第2の状態にある時、前記指紋識別モジュールによって採取した指紋データを前記第2の記憶領域の指紋データ記憶領域に記憶する、前記モバイル端末の側面に設けられた指紋識別モジュールをさらに含む。
【００５３】
この場合、前記第1起動モジュールは、前記重力センサが第1の状態にある時、前記指紋識別モジュールによって識別した指紋データと前記第1の記憶領域に記憶された指紋データの照合を行い、照合が成功した場合に、前記第1の表示画面に対応する第1のオペレーティングシステムを起動して前記第1の表示画面を点灯させるようにさらに構成され、前記第2の起動モジュールは、前記重力センサが第2の状態にある時、前記指紋識別モジュールによって識別した指紋データと前記第2の記憶領域に記憶された指紋データの照合を行い、照合が成功した場合に、前記第2の表示画面に対応する第2のオペレーティングシステムを起動して前記第2の表示画面を点灯させるようにさらに構成される。
【００５４】
一つの実施形態において、前記装置は、前記重力センサが前記第1の状態であるか前記第2の状態であるかを判断するように構成された判断モジュールをさらに含む。
【００５５】
一つの実施形態において、前記判断モジュールは、前記モバイル端末が待機状態からウェイクアップした時、前記重力センサが前記第1の状態であるか前記第2の状態であるかを判断するように構成される。
【００５６】
一つの実施形態において、前記第1の表示画面と前記第2の表示画面は回転軸によって接続される。
【００５７】
図9は、本開示の実施例によるモバイル端末のブロック図である。図9に示すように、本開示の実施例によるモバイル端末は中央プロセッサ91、ホール素子92、重力加速度センサ93、第1の表示モジュール94、第2の表示モジュール95、第1の記憶領域96、第2の記憶領域97、指紋識別モジュール98等の部分を含む。以下、各モジュールについて簡単に説明する。
【００５８】
中央プロセッサ91はホール素子92、重力加速度センサ93、第1の表示モジュール94、第2の表示モジュール95、第1の記憶領域96、第2の記憶領域97、指紋識別モジュール98を制御するように構成されている。
【００５９】
ホール素子92と磁石はそれぞれ第1の表示画面と第2の表示画面に設けられ、ホール素子と磁石が接近または離間することにより、携帯電話の二画面が折畳み状態にあるか展開状態にあるかを確定するものである。図4に示すように、その時点の折畳み状態または展開状態は状態レジスタによって記録してもよい。
【００６０】
一つの実施形態において、折畳み状態ではホール素子と磁石が接近して二つの表示画面が背中合わせに折り畳まれるが、展開状態ではホール素子と磁石が離間する。
【００６１】
重力センサ93は第1の表示画面に設けられ、図4に示すように、第1の表示画面における画面後方から画面前方へ向かう方向をz軸方向とし、重力方向とz軸方向のなす角度が90度以上180度以下である時を第1の状態とし、重力方向とz軸方向とのなす角度が0度以上90度未満である時を第2の状態とする。
【００６２】
第1の表示モジュール94は第1の表示画面に接続され、表示データを第1の表示画面に送信して表示させる。
【００６３】
第2の表示モジュール95は第2の表示画面に接続され、表示データを第2の表示画面に送信して表示させる。
【００６４】
二画面の携帯電話は二つのオペレーティングシステムを有し、第1の表示画面が第1のオペレーティングシステムに対応し、第2の表示画面が第2のオペレーティングシステムに対応する。
【００６５】
一つの実施形態においては、携帯電話が待機状態からウェイクアップした時に、重力センサ93が第1の状態であるか第2の状態であるかを判断する。
【００６６】
携帯電話が折畳み状態にある場合は、重力センサ93が第1の状態にある時、第1のオペレーティングシステムを起動して第1の表示画面を点灯させ、重力センサ93が第2の状態にある時、第2のオペレーティングシステムを起動して第2の表示画面を点灯させる。
【００６７】
一つの実施形態において、携帯電話が折畳み状態から展開状態に移行した時に、携帯電話はその時点の単画面表示から二画面表示に移行するが、当該二画面表示が対応するオペレーティングシステムはその時点（即ち展開される前）のオペレーティングシステムである。
【００６８】
携帯電話が展開状態にある場合は、重力センサ93が第1の状態にある時、第1のオペレーティングシステムを起動して第1の表示画面及び第2の表示画面を点灯させ、第1のオペレーティングシステムに対応する二画面表示モードに移行し、重力センサ93が第2の状態にある時、第2のオペレーティングシステムを起動して第2の表示画面及び第1の表示画面を点灯させ、第2のオペレーティングシステムに対応する二画面表示モードに移行する。
【００６９】
第1の記憶領域96は、第1のオペレーティングシステムが生成したデータを記憶する。
第2の記憶領域97は、第2のオペレーティングシステムが生成したデータを記憶する。
【００７０】
指紋識別モジュール98は携帯電話の側面に設けられ、重力加速度センサの状態に応じて指紋データを第1の記憶領域96又は第2の記憶領域97に記憶し、図5に示すように、識別した指紋データをそれぞれ第1の記憶領域96又は第2の記憶領域97の指紋データと照合する。
【００７１】
なお、上記各モジュールはソフトウェア又はハードウェアによって実現することができ、後者については、上記モジュールをいずれも同一のプロセッサ内に置く、或いは上記各モジュールを任意に組み合わせた状態でそれぞれ異なるプロセッサに置くという方法によって実現できるが、これらに限定されない。
【００７２】
実施例3
本開示の実施例では、記憶されたプログラムを含み、前記プログラムが実行される時、上記のいずれか1項に記載の方法を実行する記憶媒体をさらに提供する。
【００７３】
一つの実施形態において、上記記憶媒体は以下のステップを実行するためのプログラムコードを記憶するように構成される。
【００７４】
S11において、モバイル端末の第1の表示画面に設けられた重力センサが第1の状態にある時、前記モバイル端末における前記第1の表示画面に対応する第1のオペレーティングシステムを起動して前記第1の表示画面を点灯させるが、その際、重力方向とz軸方向のなす角度が90度以上180度以下である時に前記重力センサは前記第1の状態にあるとし、前記第1の表示画面における画面後方から画面前方へ向かう方向を前記z軸方向とする。
【００７５】
S12において、前記重力センサが第2の状態にある時、前記モバイル端末における第2の表示画面に対応する第2のオペレーティングシステムを起動して前記第2の表示画面を点灯させるが、その際、重力方向と前記z軸方向のなす角度が0度以上90度未満である時に前記重力センサは前記第2の状態にあるとする。
【００７６】
一つの実施形態において、前記記憶媒体はUSBメモリ、リードオンリーメモリ（Read-Only Memory、ROMと略す）、ランダムアクセスメモリ（Random Access Memory、RAMと略す）、リムーバブルハードディスク、磁気ディスク、光ディスクなどプログラムコードを記憶できる様々な媒体を含むが、これらに限定されない。
【００７７】
実施例4
本開示の実施例では、プログラムを実行するためであって、前記プログラムが実行される時、上記のいずれか1項に記載の方法におけるステップを実行するプロセッサをさらに提供する。
【００７８】
一つの実施形態において、上記プログラムは以下のステップを実行するために用いられる。
【００７９】
S21において、モバイル端末の第1の表示画面に設けられた重力センサが第1の状態にある時、前記モバイル端末における前記第1の表示画面に対応する第1のオペレーティングシステムを起動して前記第1の表示画面を点灯させるが、その際、重力方向とz軸方向のなす角度が90度以上180度以下である時に前記重力センサは前記第1の状態にあるとし、前記第1の表示画面における画面後方から画面前方へ向かう方向を前記z軸方向とする。
【００８０】
S22において、前記重力センサが第2の状態にある時、前記モバイル端末における第2の表示画面に対応する第2のオペレーティングシステムを起動して前記第2の表示画面を点灯させるが、その際、重力方向と前記z軸方向のなす角度が0度以上90度未満である時に前記重力センサは前記第2の状態にあるとする。
【００８１】
一つの実施形態において、本実施例における具体例は上記の実施例及び実施形態で説明した例を参照することができるため、ここでは繰り返し説明しない。
【００８２】
明らかに当業者にとって自明なことだが、本開示の上述した各モジュールや各ステップは、汎用のコンピュータデバイスによって実現できるものであり、単一のコンピュータデバイスに集中させても、二つのコンピュータデバイスからなるネットワーク上に分散させてもよい。ある実施形態では、コンピュータデバイスが実行可能なプログラムコードでそれらを実現した上で、記憶デバイスに記憶してコンピュータデバイスにより実行させることができる。場合によっては、図示または説明したステップを本明細書とは異なる順序で実行してもよい。それらはまた、それぞれ別の集積回路モジュールとして作製してもよく、それらのうちの二つのモジュールまたはステップを単一の集積回路モジュールとして作製してもよい。このように、本開示はいかなる特定のハードウェアおよびソフトウェアの組み合わせにも限定されない。また、以上の説明は本開示の好ましい実施例に過ぎず、本開示を限定するものではなく、本開示は当業者によって多様な変更及び変形をほどこすことが可能である。あらゆる変更、均等な置き換え、改良等も、本開示の原理を外れない限りは本願の範囲内に含まれる。
【図１】
2020529151.tif 000003
【図２】
2020529151.tif 000004
【図３】
2020529151.tif 000005
【図４】
2020529151.tif 000006
【図５】
2020529151.tif 000007
【図６】
2020529151.tif 000008
【図７】
2020529151.tif 000009
【図８】
2020529151.tif 000010
【図９】
2020529151.tif 000011
【国際調査報告】
2020529151.tif 000012
2020529151.tif 000013
2020529151.tif 000014
2020529151.tif 000015